【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
第１波長λ１の第１光束を射出する第１光源と、第２波長λ２（λ２＞λ１）の第２光束を射出する第２光源と、第３波長λ３（λ３＞λ２）の第３光束を射出する第３光源と、対物レンズと、前記第１光束を用いて情報の記録及び／又は再生を行う厚さがｔ１の保護基板を有する第１光ディスクと、前記第２光束を用いて情報の記録及び／又は再生を行う厚さがｔ２（ｔ１＜ｔ２）の保護基板を有する第２光ディスクと、前記第３光束を用いて情報の記録及び／又は再生を行う厚さがｔ３（ｔ２＜ｔ３）の保護基板を有する第３光ディスクと、を有する光ピックアップ装置であって、
前記対物レンズの光学面は、中央領域と、前記中央領域の周りの中間領域と、前記中間領域の周りの周辺領域とを少なくとも有し、
前記中央領域は第１光路差付与構造を有し、
前記中間領域は第２光路差付与構造を有し、
前記対物レンズは、前記中央領域を通過する前記第１光束を、前記第１光ディスクの情報記録面上に情報の記録及び／又は再生ができるように集光し、前記中央領域を通過する前記第２光束を、前記第２光ディスクの情報記録面上に情報の記録及び／又は再生ができるように集光し、前記中央領域を通過する前記第３光束を、前記第３光ディスクの情報記録面上に情報の記録及び／又は再生ができるように集光し、
前記対物レンズは、前記中間領域を通過する前記第１光束を、前記第１光ディスクの情報記録面上に情報の記録及び／又は再生ができるように集光し、前記中間領域を通過する前記第２光束を、前記第２光ディスクの情報記録面上に情報の記録及び／又は再生ができるように集光し、前記中間領域を通過する前記第３光束を、前記第３光ディスクの情報記録面上に情報の記録及び／又は再生ができるように集光せず、
前記対物レンズは、前記周辺領域を通過する前記第１光束を、前記第１光ディスクの情報記録面上に情報の記録及び／又は再生ができるように集光し、前記周辺領域を通過する前記第２光束を、前記第２光ディスクの情報記録面上に情報の記録及び／又は再生ができるように集光せず、前記周辺領域を通過する前記第３光束を、前記第３光ディスクの情報記録面上に情報の記録及び／又は再生ができるように集光せず、
前記第１光路差付与構造は、少なくとも第１基礎構造と第２基礎構造とを重ね合わせた構造であり、
前記第１基礎構造は、前記第１基礎構造を通過した第１光束のＸ次の回折光量を他のいかなる次数の回折光量よりも大きくし、前記第１基礎構造を通過した第２光束のＹ次の回折光量を他のいかなる次数の回折光量よりも大きくし、前記第１基礎構造を通過した第３光束のＺ次の回折光量を他のいかなる次数の回折光量よりも大きくし、
前記第２基礎構造は、前記第２基礎構造を通過した第１光束のＬ次の回折光量を他のいかなる次数の回折光量よりも大きくし、前記第２基礎構造を通過した第２光束のＭ次の回折光量を他のいかなる次数の回折光量よりも大きくし、前記第２基礎構造を通過した第３光束のＮ次の回折光量を他のいかなる次数の回折光量よりも大きくし、
前記第２光路差付与構造は、少なくとも第３基礎構造と第４基礎構造と第５基礎構造を重ね合わせた構造であり、
前記第３基礎構造は、前記第３基礎構造を通過した第１光束のＡ次の回折光量を他のいかなる次数の回折光量よりも大きくし、前記第３基礎構造を通過した第２光束のＢ次の回折光量を他のいかなる次数の回折光量よりも大きくし、
前記第４基礎構造は、前記第４基礎構造を通過した第１光束のＤ次の回折光量を他のいかなる次数の回折光量よりも大きくし、前記第４基礎構造を通過した第２光束のＥ次の回折光量を他のいかなる次数の回折光量よりも大きくし、
前記第５基礎構造は、前記第５基礎構造を通過した第１光束の０次の回折光量を他のいかなる次数の回折光量よりも大きくし、前記第５基礎構造を通過した第２光束の０次の回折光量を他のいかなる次数の回折光量よりも大きくし、前記第５基礎構造を通過した第３光束のＧ次の回折光量を他のいかなる次数の回折光量よりも大きくし、
Ｘ、Ｙ、Ｚ、Ｌ、Ｍ、Ｎ、Ａ、Ｂ、Ｄ及びＥは整数であり、Ｇは０以外の整数であり、
前記対物レンズは以下の式を満たし、
Ｘ＝Ａ （１５）
Ｙ＝Ｂ （１６）
Ｌ＝Ｄ （１７）
Ｍ＝Ｅ （１８）
前記第１光源、前記第２光源および前記第３光源のうち少なくとも２つの光源をユニット化したことを特徴とする光ピックアップ装置。
【請求項２】
前記対物レンズは以下の式を満たすことを特徴とする請求項１に記載の光ピックアップ装置。
Ｇ＝±１ （２３）
【請求項３】
前記対物レンズの前記第５基礎構造は、２レベルの階段型構造であることを特徴とする請求項１又は２に記載の光ピックアップ装置。
【請求項４】
前記対物レンズの前記２レベルの階段型構造は、前記第１光束に対し前記第１波長λ１の５波長分の光路差を与える段差を有することを特徴とする請求項３に記載の光ピックアップ装置。
【請求項５】
前記対物レンズの前記２レベルの階段型構造は、前記第１光束に対し前記第１波長λ１の３波長分の光路差を与える段差を有することを特徴とする請求項３に記載の光ピックアップ装置。
【請求項６】
前記対物レンズの前記２レベルの階段型構造の上部テラス面に、単一の前記第４基礎構造と複数の前記第３基礎構造の段差を有することを特徴とする請求項３乃至５のいずれか一項に記載の光ピックアップ装置。
【請求項７】
前記対物レンズの前記第５基礎構造の最小ピッチが１０μｍ以上であることを特徴とする請求項３乃至６のいずれか一項に記載の光ピックアップ装置。
【請求項８】
前記対物レンズの前記Ｌ及びＤは偶数であり、前記Ｘ及びＡは奇数であることを特徴とする請求項１乃至７のいずれか一項に記載の光ピックアップ装置。
【請求項９】
前記対物レンズの前記Ｌ及びＤは、絶対値が４以下の偶数であり、前記Ｘ及びＡは、絶対値が５以下の奇数であることを特徴とする請求項８に記載の光ピックアップ装置。
【請求項１０】
前記対物レンズの前記第１基礎構造、前記第２基礎構造、前記第３基礎構造及び前記第４基礎構造はブレーズ型構造であり、
少なくとも前記中央領域の光軸付近に設けられる前記第１基礎構造は、その段差が光軸とは逆の方向を向いており、
少なくとも前記中央領域の光軸付近に設けられる前記第２基礎構造は、その段差が光軸の方向を向いていることを特徴とする請求項１乃至９のいずれか一項に記載の光ピックアップ装置。
【請求項１１】
前記対物レンズの前記第１基礎構造及び前記第３基礎構造は、その全ての段差が光軸とは逆の方向を向いており、前記第２基礎構造及び前記第４基礎構造は、その全ての段差が光軸の方向を向いていることを特徴とする請求項１０に記載の光ピックアップ装置。
【請求項１２】
前記対物レンズは以下の条件式を満たすことを特徴とする請求項１乃至１１のいずれか一項に記載の光ピックアップ装置。
１．０≦ｄ／ｆ≦１．５ （３）
但し、ｄは、前記対物レンズの光軸上の厚さ（ｍｍ）を表し、ｆは、前記第１光束における前記対物レンズの焦点距離を表す。
【請求項１３】
前記対物レンズは以下の条件式を満たすことを特徴とする請求項１乃至１２のいずれか一項に記載の光ピックアップ装置。
−０．０１＜ｍ１＜０．０１ （４）
−０．０１＜ｍ２＜０．０１ （５）
−０．０１＜ｍ３＜０．０１ （６）
但し、ｍ１は、前記第１光束が前記対物レンズに入射する時の前記対物レンズの倍率を表し、ｍ２は、前記第２光束が前記対物レンズに入射する時の前記対物レンズの倍率を表し、ｍ３は、前記第３光束が前記対物レンズに入射する時の前記対物レンズの倍率を表す。
【請求項１４】
請求項１乃至１３のいずれか一項に記載の光ピックアップ装置を有することを特徴とする光情報記録再生装置。
【手続補正２】
【補正対象書類名】明細書
【補正対象項目名】発明の名称
【補正方法】変更
【補正の内容】
【発明の名称】光ピックアップ装置及び光情報記録再生装置
【手続補正３】
【補正対象書類名】明細書
【補正対象項目名】０００１
【補正方法】変更
【補正の内容】
【０００１】
本発明は、異なる種類の光ディスクに対して互換可能に情報の記録及び／又は再生（記録／再生）を行える光ピックアップ装置及び光情報記録再生装置に関する。
【手続補正４】
【補正対象書類名】明細書
【補正対象項目名】００１２
【補正方法】変更
【補正の内容】
【００１２】
本発明は、上述の課題を解決することを目的としたものであり、ＢＤ、ＤＶＤ、及びＣＤの３種類の光ディスクの互換を共通の対物レンズで行うことを可能としつつ、さらに、中央領域と中間領域との間で位相ずれが生じることを防止しつつ、ＣＤにおいて不要光が集光スポットに悪影響を及ぼすことがなく、安定した情報の記録／再生を行うことが可能となる光ピックアップ装置及び光情報記録再生装置を提供することを目的とする。
【手続補正５】
【補正対象書類名】明細書
【補正対象項目名】００１３
【補正方法】変更
【補正の内容】
【００１３】
請求項１に記載の光ピックアップ装置は、第１波長λ１の第１光束を射出する第１光源と、第２波長λ２（λ２＞λ１）の第２光束を射出する第２光源と、第３波長λ３（λ３＞λ２）の第３光束を射出する第３光源と、対物レンズと、前記第１光束を用いて情報の記録及び／又は再生を行う厚さがｔ１の保護基板を有する第１光ディスクと、前記第２光束を用いて情報の記録及び／又は再生を行う厚さがｔ２（ｔ１＜ｔ２）の保護基板を有する第２光ディスクと、前記第３光束を用いて情報の記録及び／又は再生を行う厚さがｔ３（ｔ２＜ｔ３）の保護基板を有する第３光ディスクと、を有する光ピックアップ装置であって、前記対物レンズの光学面は、中央領域と、前記中央領域の周りの中間領域と、前記中間領域の周りの周辺領域とを少なくとも有し、前記中央領域は第１光路差付与構造を有し、前記中間領域は第２光路差付与構造を有し、前記対物レンズは、前記中央領域を通過する前記第１光束を、前記第１光ディスクの情報記録面上に情報の記録及び／又は再生ができるように集光し、前記中央領域を通過する前記第２光束を、前記第２光ディスクの情報記録面上に情報の記録及び／又は再生ができるように集光し、前記中央領域を通過する前記第３光束を、前記第３光ディスクの情報記録面上に情報の記録及び／又は再生ができるように集光し、前記対物レンズは、前記中間領域を通過する前記第１光束を、前記第１光ディスクの情報記録面上に情報の記録及び／又は再生ができるように集光し、前記中間領域を通過する前記第２光束を、前記第２光ディスクの情報記録面上に情報の記録及び／又は再生ができるように集光し、前記中間領域を通過する前記第３光束を、前記第３光ディスクの情報記録面上に情報の記録及び／又は再生ができるように集光せず、
前記対物レンズは、前記周辺領域を通過する前記第１光束を、前記第１光ディスクの情報記録面上に情報の記録及び／又は再生ができるように集光し、前記周辺領域を通過する前記第２光束を、前記第２光ディスクの情報記録面上に情報の記録及び／又は再生ができるように集光せず、前記周辺領域を通過する前記第３光束を、前記第３光ディスクの情報記録面上に情報の記録及び／又は再生ができるように集光せず、前記第１光路差付与構造は、少なくとも第１基礎構造と第２基礎構造とを重ね合わせた構造であり、前記第１基礎構造は、前記第１基礎構造を通過した第１光束のＸ次の回折光量を他のいかなる次数の回折光量よりも大きくし、前記第１基礎構造を通過した第２光束のＹ次の回折光量を他のいかなる次数の回折光量よりも大きくし、前記第１基礎構造を通過した第３光束のＺ次の回折光量を他のいかなる次数の回折光量よりも大きくし、前記第２基礎構造は、前記第２基礎構造を通過した第１光束のＬ次の回折光量を他のいかなる次数の回折光量よりも大きくし、前記第２基礎構造を通過した第２光束のＭ次の回折光量を他のいかなる次数の回折光量よりも大きくし、前記第２基礎構造を通過した第３光束のＮ次の回折光量を他のいかなる次数の回折光量よりも大きくし、前記第２光路差付与構造は、少なくとも第３基礎構造と第４基礎構造と第５基礎構造を重ね合わせた構造であり、前記第３基礎構造は、前記第３基礎構造を通過した第１光束のＡ次の回折光量を他のいかなる次数の回折光量よりも大きくし、前記第３基礎構造を通過した第２光束のＢ次の回折光量を他のいかなる次数の回折光量よりも大きくし、前記第４基礎構造は、前記第４基礎構造を通過した第１光束のＤ次の回折光量を他のいかなる次数の回折光量よりも大きくし、前記第４基礎構造を通過した第２光束のＥ次の回折光量を他のいかなる次数の回折光量よりも大きくし、前記第５基礎構造は、前記第５基礎構造を通過した第１光束の０次の回折光量を他のいかなる次数の回折光量よりも大きくし、前記第５基礎構造を通過した第２光束の０次の回折光量を他のいかなる次数の回折光量よりも大きくし、前記第５基礎構造を通過した第３光束のＧ次の回折光量を他のいかなる次数の回折光量よりも大きくし、Ｘ、Ｙ、Ｚ、Ｌ、Ｍ、Ｎ、Ａ、Ｂ、Ｄ及びＥは整数であり、Ｇは０以外の整数であり、前記対物レンズは以下の式を満たし、
前記第１光源、前記第２光源および前記第３光源のうち少なくとも２つの光源をユニット化したことを特徴とする。
【手続補正６】
【補正対象書類名】明細書
【補正対象項目名】００１６
【補正方法】変更
【補正の内容】
【００１６】
請求項２に記載の光ピックアップ装置は、請求項１に記載の発明であって、前記対物レンズが以下の式を満たすことを特徴とする。
【手続補正７】
【補正対象書類名】明細書
【補正対象項目名】００１７
【補正方法】変更
【補正の内容】
【００１７】
Ｇ＝±１   （２３）
請求項３に記載の光ピックアップ装置は、請求項１又は２に記載の発明であって、前記対物レンズの前記第５基礎構造は、２レベルの階段型構造であることを特徴とする。  
【手続補正８】
【補正対象書類名】明細書
【補正対象項目名】００１８
【補正方法】変更
【補正の内容】
【００１８】
請求項４に記載の光ピックアップ装置は、請求項３に記載の発明であって、前記対物レンズの前記２レベルの階段型構造は、前記第１光束に対し前記第１波長λ１の５波長分の光路差を与える段差を有することを特徴とする。  
【手続補正９】
【補正対象書類名】明細書
【補正対象項目名】００２０
【補正方法】変更
【補正の内容】
【００２０】
請求項５に記載の光ピックアップ装置は、請求項３に記載の発明であって、前記対物レンズの前記２レベルの階段型構造は、前記第１光束に対し前記第１波長λ１の３波長分の光路差を与える段差を有することを特徴とする。  
【手続補正１０】
【補正対象書類名】明細書
【補正対象項目名】００２２
【補正方法】変更
【補正の内容】
【００２２】
請求項６に記載の光ピックアップ装置は、請求項３乃至５のいずれかに記載の発明であって、前記対物レンズの前記２レベルの階段型構造の上部テラス面に、単一の前記第４基礎構造と複数の前記第３基礎構造の段差を有することを特徴とする。
【手続補正１１】
【補正対象書類名】明細書
【補正対象項目名】００２４
【補正方法】変更
【補正の内容】
【００２４】
請求項７に記載の光ピックアップ装置は、請求項３乃至６のいずれかに記載の発明であって、前記対物レンズの前記第５基礎構造の最小ピッチが１０μｍ以上であることを特徴とする。
【手続補正１２】
【補正対象書類名】明細書
【補正対象項目名】００２５
【補正方法】変更
【補正の内容】
【００２５】
請求項８に記載の光ピックアップ装置は、請求項１乃至７のいずれかに記載の発明であって、前記対物レンズの前記Ｌ及びＤは偶数であり、前記Ｘ及びＡは奇数であることを特徴とする。
【手続補正１３】
【補正対象書類名】明細書
【補正対象項目名】００２６
【補正方法】変更
【補正の内容】
【００２６】
請求項９に記載の光ピックアップ装置は、請求項８に記載の発明であって、前記対物レンズの前記Ｌ及びＤは、絶対値が４以下の偶数であり、前記Ｘ及びＡは、絶対値が５以下の奇数であることを特徴とする。
【手続補正１４】
【補正対象書類名】明細書
【補正対象項目名】００２７
【補正方法】変更
【補正の内容】
【００２７】
請求項１０に記載の光ピックアップ装置は、請求項１乃至９のいずれかに記載の発明であって、前記対物レンズの前記第１基礎構造、前記第２基礎構造、前記第３基礎構造及び前記第４基礎構造はブレーズ型構造であり、少なくとも前記中央領域の光軸付近に設けられる前記第１基礎構造は、その段差が光軸とは逆の方向を向いており、少なくとも前記中央領域の光軸付近に設けられる前記第２基礎構造は、その段差が光軸の方向を向いていることを特徴とする。
【手続補正１５】
【補正対象書類名】明細書
【補正対象項目名】００２８
【補正方法】変更
【補正の内容】
【００２８】
請求項１１に記載の光ピックアップ装置は、請求項１０に記載の発明であって、前記対物レンズの前記第１基礎構造及び前記第３基礎構造は、その全ての段差が光軸とは逆の方向を向いており、前記第２基礎構造及び前記第４基礎構造は、その全ての段差が光軸の方向を向いていることを特徴とする。
【手続補正１６】
【補正対象書類名】明細書
【補正対象項目名】００２９
【補正方法】変更
【補正の内容】
【００２９】
請求項１２に記載の光ピックアップ装置は、請求項１乃至１１のいずれかに記載の発明であって、前記対物レンズが以下の条件式を満たすことを特徴とする。
【手続補正１７】
【補正対象書類名】明細書
【補正対象項目名】００３２
【補正方法】変更
【補正の内容】
【００３２】
請求項１３に記載の光ピックアップ装置は、請求項１乃至１２のいずれかに記載の発明であって、前記対物レンズが以下の条件式を満たすことを特徴とする。
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】変更
【補正の内容】
【００３５】
請求項１４に記載の光情報記録再生装置は、請求項１乃至１３のいずれかに記載の光ピックアップ装置を有することを特徴とする。